(57)【要約】【課題】  内装壁を精度良く容易に構築することができる内装壁構造及び内装壁の施工方法を提供する。【解決手段】  略平坦に表面を形成した床面１４上に内装壁を構築する内装壁の施工方法であって、所定の高さの一対のコーナーパネル部材１６Ａ，１６Ｂを床面１４上に間隔を置いて配置し、一対のコーナーパネル部材１６Ａ，１６Ｂの上端面の間に天井レール部材１８を架け渡し、該上端面によって天井レール部材１８を位置決めして固定する。  そして、天井レール部材１８の下方から中間パネル部材１９を差し込んで所定の位置に配置して固定する。【選択図】  図１
2006016898.tif 000002
【特許請求の範囲】
【請求項１】
略平坦に表面が形成された床面上に構築された内装壁構造であって、間隔を置いて前記
床面上に配置された所定の高さの一対の壁パネル部材と、該一対の壁パネル部材の上端面
の間に架け渡され、該上端面によって位置決めされた天井レール部材と、該天井レール部
材に沿って前記一対の壁パネル部材間に配置された中間パネル部材と、を有することを特
徴とする内装壁構造。
【請求項２】
前記一対の壁パネル部材の少なくとも一方は、同一面上にない二面が一体に連設されて
、入隅部又は出隅部に配置されるコーナーパネル部材であることを特徴とする請求項１に
記載の内装壁構造。
【請求項３】
前記天井レール部材の上端面と天井部の下面との隙間に介在させたスペーサを有するこ
とを特徴とする請求項１又は請求項２に記載の内装壁構造。
【請求項４】
前記壁パネル部材端面と前記中間パネル部材端面、又は前記中間パネル部材端面同士を
突き合わせる接合部に、前記パネル部材の面内外方向への移動が制限される継手手段が設
けられたことを特徴とする請求項１乃至請求項３のいずれかに記載の内装壁構造。
【請求項５】
略平坦に表面を形成した床面上に内装壁を構築する内装壁の施工方法であって、所定の
高さの一対の壁パネル部材を前記床面上に間隔を置いて配置し、前記一対の壁パネル部材
の上端面の間に天井レール部材を架け渡し、該上端面によって前記天井レール部材を位置
決めして固定し、前記天井レール部材の下方から中間パネル部材を差し込んで所定の位置
に配置して固定することを特徴とする内装壁の施工方法。
【発明の詳細な説明】
【技術分野】
【０００１】
本発明は、構造物の躯体の内側に内装または間仕切りとして構築する内装壁構造及び内
装壁の施工方法に関するものである。
【背景技術】
【０００２】
従来、コンクリートで構築した壁の内側には、内装として内装壁を構築している。また
、躯体の内部空間を仕切るための間仕り壁を構築する場合もある。
【０００３】
このような内装壁を構築する方法として、床面から天井面までの高さに合わせて壁部材
を切断し、設置する方法が知られている。
【０００４】
また、特許文献１には、既存の壁の前面に、内装壁を構築する技術が開示されている（
図１０参照）。
【０００５】
図１０に示した内装壁構造では、既存壁１、既存天井２及び既存床３に囲まれた部屋に
、新規の内装壁としてパネル部材５が配置されている。このパネル部材５の上端５ａには
、断面逆Ｕ字型の天井レール部材４が配置され、下端５ｂには、断面Ｔ字型の支持レール
部材８が配置されている。
【０００６】
この天井レール部材４及び支持レール部材８と既存壁１の間には、添木６，６が介在さ
れて一定の間隔が確保されている。また、前記支持レール部材８は、既存床３上に載置し
た高さ調節手段としての支持脚部材７の上にボルト１０を介して支持されている。
【０００７】
また、このボルト１０には、第一可動ナット９と第二可動ナット１１とが螺合されてい
て、第一可動ナット９によって、支持レール部材８の上下方向の支持位置を上下動させる
ように構成されている。
【０００８】
また、前記第二可動ナット１１には、前記ボルト１０が挿通されて、上下方向に沿って
移動可能な可動片１２を下方から支持している。
【０００９】
この可動片１２には、前記パネル部材５が、前記天井レール部材４及び支持レール部材
８に装着された状態で、このパネル部材５及び前記支持脚部材７の室内側側面を覆う幅木
１３が固定されている。
【００１０】
次に、この従来の内装壁構造の構築方法及び作用について説明する。
【００１１】
まず、内装壁の施工順序に沿って説明すると、既存壁１の下縁及び上縁に添木６，６が
各々固定される。そして、天井レール部材４の側面を上縁の添木６に当接させて、上端面
を既存天井２に仮固定する。
【００１２】
一方、下縁の添木６の内側面には、所定の間隔を置いて複数の支持脚部材７，・・・が
設置される。この支持脚部材７から上方に突設されたボルト１０の上端に、前記第一可動
ナット９によって下方から支持されるように支持レール部材８が取り付けられる。
【００１３】
次に、前記パネル部材５の上端５ａを天井レール部材４の下方から差し込み、下端５ｂ
を支持レール部材８上に載置する。この状態で、第一可動ナット９を上方に移動する方向
に回転させると、支持レール部材８が上方に移動し、パネル部材５は天井レール部材４を
介して既存天井２の下面側に押し付けられる。
【００１４】
そして、前記幅木１３が前記パネル部材５及び前記支持脚部材７の室内側側面を覆うよ
うに、前記可動片１２を固定する。
【００１５】
この可動片１２は、前記第二可動ナット１１の前記ボルト１０に対する螺合位置を変更
することにより上下方向の位置調整が行なわれる。
【特許文献１】実公平７−２８３２４号公報（図１，２、第２頁及び第３頁）
【発明の開示】
【発明が解決しようとする課題】
【００１６】
しかしながら、前記した躯体寸法に合わせて壁部材を切断する方法では、部材ごとに寸
法取りを行なわなければならず、施工手間がかかる。
【００１７】
また、コンクリートによって成形された天井面は、不陸があって平らでない場合もある
ので、前記した天井レール部材４を接着剤だけで取り付けるのは難しい。
【００１８】
ここで、図１０に示した構成では、パネル部材５の下端５ａに前記高さ調節手段を設け
て、天井レール部材４を既存天井２に密着させているが、このような方法では部品点数が
多くなると共に、調節手間がかかる。
【００１９】
そこで、本発明は、内装壁を精度良く容易に構築することができる内装壁構造及び内装
壁の施工方法を提供することを目的としている。
【課題を解決するための手段】
【００２０】
前記目的を達成するために、請求項１の発明は、略平坦に表面が形成された床面上に構
築された内装壁構造であって、間隔を置いて前記床面上に配置された所定の高さの一対の
壁パネル部材と、該一対の壁パネル部材の上端面の間に架け渡され、該上端面によって位
置決めされた天井レール部材と、該天井レール部材に沿って前記一対の壁パネル部材間に
配置された中間パネル部材と、を有することを特徴としている。
【００２１】
また、請求項２に記載されたものは、前記一対の壁パネル部材の少なくとも一方は、同
一面上にない二面が一体に連設されて、入隅部又は出隅部に配置されるコーナーパネル部
材である請求項１に記載の内装壁構造であることを特徴としている。
【００２２】
更に、請求項３に記載されたものは、前記天井レール部材の上端面と天井部の下面との
隙間に介在させたスペーサを有する請求項１又は請求項２に記載の内装壁構造であること
を特徴としている。
【００２３】
また、請求項４の発明は、前記壁パネル部材端面と前記中間パネル部材端面、又は前記
中間パネル部材端面同士を突き合わせる接合部に、前記パネル部材の面内外方向への移動
が制限される継手手段が設けられた請求項１乃至請求項３のいずれかに記載の内装壁構造
であることを特徴としている。
【００２４】
また、請求項５の発明は、略平坦に表面を形成した床面上に内装壁を構築する内装壁の
施工方法であって、所定の高さの一対の壁パネル部材を前記床面上に間隔を置いて配置し
、前記一対の壁パネル部材の上端面の間に天井レール部材を架け渡し、該上端面によって
前記天井レール部材を位置決めして固定し、前記天井レール部材の下方から中間パネル部
材を差し込んで所定の位置に配置して固定することを特徴としている。
【発明の効果】
【００２５】
このように構成された請求項１の発明は、略平坦に表面が形成された床面上に所定の高
さの一対の壁パネル部材が配置され、その壁パネル部材の上端面によって天井レール部材
の位置決めがおこなわれる。
【００２６】
そして、前記壁パネル部材を介して略平坦に配置された前記天井レール部材に前記中間
パネル部材が取り付けられる。
【００２７】
このため、前記床面から前記天井レール部材までの高さが、決められた一定の寸法にな
るので、規定の高さの中間パネル部材を使用することができ、短期間で精度良く内装壁構
造を構築することができる。
【００２８】
また、天井面に直接、前記天井レール部材が貼り付けられて位置決めがされるわけでは
ないので、天井面の不陸によって天井レール部材が固定できなかったり、天井レール部材
の設置精度が低下したりすることがない。
【００２９】
また、請求項２に記載されたものは、前記壁パネル部材の少なくとも一方を、入隅部又
は出隅部を配置される同一面上にない二面を有するコーナーパネル部材とする。
【００３０】
このため、コーナーパネル部材の設置時や天井レール部材の設置時に、コーナーパネル
部材を支える必要がなく、最少人員で内装壁構造を構築することができる。
【００３１】
さらに、請求項３に記載されたものは、前記天井レール部材の上端面と天井部の下面と
の隙間にスペーサを介在させる。
【００３２】
このため、前記天井レール部材と天井部との間を位置精度的に縁切りでき、天井部の面
施工精度に影響を受けることがない。
【００３３】
また、前記天井レール部材に取り付ける前記中間パネル部材も、前記天井レール部材を
介して前記スペーサによって確実に前記天井部に支持される。
【００３４】
また、請求項４に記載されたものは、前記パネル部材端面同士を突き合わせる接合部に
、前記パネル部材の面内外方向への移動が制限される継手手段が設けられる。
【００３５】
このため、一方の前記パネル部材が他方の前記パネル部材に差し込まれるだけで前記パ
ネル部材同士の位置合わせができると共に、室内側から締結材を締結させるだけで前記パ
ネル部材間を接合できるので、施工が容易である。
【００３６】
また、請求項５に記載された発明は、略平坦に形成した床面上に所定の高さの一対の壁
パネル部材を間隔を置いて設置し、その壁パネル部材の上端面間に天井レール部材を掛け
渡し固定する。そして、その天井レール部材の下方に中間パネル部材を差し込んで所定の
位置に配置する。
【００３７】
このため、前記床面上から前記天井レール部材までの高さが一定となって、規定の寸法
の前記中間パネル部材が使用できるので取り付けが簡単である。
【発明を実施するための最良の形態】
【００３８】
以下、本発明の最良の実施の形態について図面を参照して説明する。
【００３９】
図１乃至図４は、本実施の形態による内装壁の施工方法の各作業工程を示している。ま
た、図５は、図４のＡ−Ａ線断面図を示している。
【００４０】
まず、構成から説明すると、このような本実施の形態では、構造物としての建物５０が
、主にコンクリートで構築されて、躯体床１５ａ、躯体壁１５ｂ及び躯体天井１５ｃで囲
まれた室内空間６０を有する躯体１５から構成されている。
【００４１】
この室内空間６０内には、間隔を置いて床面１４上に配置した一対の壁パネル部材とし
てのコーナーパネル部材１６Ａ，１６Ｂと、該一対のコーナーパネル部材１６Ａ，１６Ｂ
間に架け渡した天井レール部材１８と、該天井レール部材１８に沿って配置する中間パネ
ル部材１９とが設けられて内装壁部が形成されている。
【００４２】
本実施の形態の内装壁構造は、略平坦に表面が形成された床面１４上に構築されるもの
である。
【００４３】
図５に、略平坦に表面が形成された床面１４の一実施例を示す。
【００４４】
この床面１４は、コンクリートで構築した躯体１５の床部分である躯体床１５ａの上方
に形成されるものである。
【００４５】
すなわち、前記躯体床１５ａの上面には、支持脚２４，２４，２４が間隔を置いて配置
されている。この支持脚２４は、高さ調節が可能な部材であり、上端面の高さを所定の高
さに調節可能に構成されている。
【００４６】
そして、各支持脚２４，・・・上に受台２３、及び受台２５が固定され、さらにその上
に床材１４ａ，１４ｂが載置される。このように、高さ調節可能な支持脚２４，・・・上
に載置された床材１４ａ，１４ｂが形成する床面１４は、略平坦に表面が形成されている
。
【００４７】
ここで、床材１４ａ，１４ｂは、木材の小片を加熱成形した集成材若しくは積層材等の
エンジニアリングウッド、又はパーチクルボードなどを使用して形成されている。また、
壁際に配置する受台２３には長尺角材が、受台２５には平面視正方形のブロック部材が使
用されている。
【００４８】
次に、前記床面１４上に設置するコーナーパネル部材１６（１６Ａ，１６Ｂ）の構成に
ついて説明する。このコーナーパネル部材１６は、同一面にない２枚の矩形のパネル部材
１６ｃ，１６ｄが一体に連設されることにより、自立する二面を有する部材に形成される
（図２参照）。
【００４９】
これらのパネル部材１６ｃ，１６ｄは、例えば表面を合板や石膏ボード等の板材で形成
し、背面には補強のための桟木が上下方向に延設されている。
【００５０】
そして、このパネル部材１６ｃ，１６ｄを突き合わせる角度は、略直角として平面視略
Ｌ字型となるようにコーナーパネル部材１６を製作する。
【００５１】
この実施の形態では、入隅部用のコーナーパネル部材１６Ａと、出隅部用のコーナーパ
ネル部材１６Ｂとを一対で使用する。この一対のコーナーパネル部材１６Ａ，１６Ｂは、
同じ高さに形成される。
【００５２】
また、一対のコーナーパネル部材１６Ａ，１６Ｂ間に架け渡す天井レール部材１８は、
断面が略逆Ｕ字型の長尺部材である。この天井レール部材１８は、アルミ合金、亜鉛メッ
キ鋼板等の金属製材料を加工して製作されている。
【００５３】
前記天井レール部材１８の一方の側面には、図２に示すようにコーナーパネル部材１６
及び中間パネル部材１９を固定する際に使用する固定孔１８ａ，・・・が複数設けられて
いる。また、天井レール部材１８の上端面には、天井レール部材１８を天井部３０に固定
する際に使用する固定孔１８ｂ，・・・が複数設けられている。
【００５４】
天井レール部材１８に沿って配置される前記中間パネル部材１９は、高さ及び幅が規定
の寸法に合わせて矩形に成形されている。この中間パネル部材１９は、表面が合板や石膏
ボード等の板材で形成され、背面には補強のための桟木１９ｂが上下方向に延設されてい
る（図５参照）。
【００５５】
また、中間パネル部材１９の幅に満たない隙間を埋める中間パネル部材として、調整パ
ネル部材３５が使用される。
【００５６】
この調整パネル部材３５は、コーナーパネル部材１６Ａ，１６Ｂの対向する側端面１６
ａ，１６ａ間の距離を、中間パネル部材１９の幅で割って余った幅とする。
【００５７】
前記コーナーパネル部材１６Ａ，１６Ｂと中間パネル部材１９、又は中間パネル部材１
９，１９間を接合する接合部３６には、継手手段２７が設けられている。
【００５８】
この継手手段２７の構成を、図６を用いて説明する。
【００５９】
差込み部２７ａは、上下方向に長尺の板材の一部が、中間パネル部材１９幅方向外側に
突出するように、側端面１９ａに沿って延設して形成される。
【００６０】
また、受け口部２７ｂは、コーナーパネル部材１６Ａの側端面１６ａから、前記差込み
部２７ａの突出量分だけ内側に引っ込めた位置に、板材を上下方向に延設して形成される
。
【００６１】
このため、コーナーパネル部材１６Ａの幅方向の側端面１６ａに中間パネル部材１９の
側端面１９ａを突き合せると、継手手段２７によって前記パネル部材１６Ａ，１９の面内
外方向への移動が制限される。
【００６２】
また、本実施の形態では、コーナーパネル部材１６Ａ，１６Ｂによって天井レール部材
１８の位置決めを行なうので、天井部３０の下面と天井レール部材１８の上端面との間に
隙間が発生する場合がある。
【００６３】
この隙間の高さに合わせて木材を成形し、スペーサ２２とする。
【００６４】
更に、この実施の形態の床面１４上に敷設する前記床レール部材１７は、断面が略Ｕ字
型の長尺部材である。この床レール部材１７は、アルミ合金、亜鉛メッキ鋼板等の金属製
材料を加工して製作されている。
【００６５】
前記床レール部材１７の一方の側面には、図２に示すように、コーナーパネル部材１６
Ａ，１６Ｂ及び中間パネル部材１９を固定する際に、固定ネジ２１，・・・を各々挿通し
て使用する固定孔１７ａ，・・・が複数設けられている。
【００６６】
また、床レール部材１７の下端面には、床レール部材１７を床面１４に固定する際に使
用する固定孔１７ｂ，・・・が複数設けられている。
【００６７】
そして、この床レール部材１７の下端面に形成された固定孔１７ｂ，・・・及び前記天
井レール部材１８の上端面に形成された固定孔１８ｂ，・・・に、図２又は図３に示すよ
うに、固定手段として固定ネジ２１が各々挿通される。また、図５に示すように、床面１
４を構成する床材１４ａ及び、前記スペーサ２２を介在させて天井部３０の縁部材３０ａ
に、これらの床レール部材１７及び前記天井レール部材１８を各々固定するように構成さ
れている。
【００６８】
次に、本実施の形態の内装壁の施工方法について説明しながら、この実施の形態の作用
について説明する。
【００６９】
内装壁の施工は、図２，３，１，４の順で進められる。
【００７０】
図２は、床面１４上に間隔を置いて立設された入隅部用のコーナーパネル部材１６Ａと
出隅部用のコーナーパネル部材１６Ｂとの間に天井レール部材１８を架け渡す作業工程を
示した斜視図である。
【００７１】
図２で示した作業工程に移行する前に、コンクリートで構築した躯体１５の内側に表面
が略平坦の床面１４を形成しておく。また、躯体壁１５ｂ内側面の上縁及び下縁に胴縁２
０，２０を取り付ける。
【００７２】
さらに、上縁側の胴縁２０の上には、図５に示すような内装となる天井部３０を構築す
る。なお、図１乃至図４は、この天井部３０を省略した斜視図である。
【００７３】
そして、下縁側の胴縁２０の側面に、床レール部材１７の固定孔１７ａ，・・・を設け
ていない側の側面を当接させる。表面が略平坦の床面１４上に設置した床レール部材１７
のＵ字型溝の底面は、略平坦に形成されていることになる。
【００７４】
なお、この時点では、床レール部材１７は床面１４上に置かれているだけで、床面１４
に固定されていない。
【００７５】
次に、一対のコーナーパネル部材１６Ａ，１６Ｂを床レール部材１７の溝に嵌め込んで
設置する。このコーナーパネル部材１６Ａ，１６Ｂは、躯体壁１５ｂの出隅部及び入隅部
に合わせて配置する。
【００７６】
前記コーナーパネル部材１６Ａ，１６Ｂは、自立可能に形成されているため、置くだけ
で作業員はコーナーパネル部材１６Ａ，１６Ｂから手を離すことができる。
【００７７】
そして、コーナーパネル部材１６Ａ，１６Ｂの位置決めとして、垂直に立設されている
かどうかを確認し、傾いているときは調節する。その後、床レール部材１７を固定孔１７
ｂに螺入した固定ネジ２１で床面１４に固定する。さらに、床レール部材１７の固定孔１
７ａを介してコーナーパネル部材１６Ａ，１６Ｂと床レール部材１７を固定ネジ２１で接
合する。
【００７８】
次に、図３に示すようにコーナーパネル部材１６Ａ，１６Ｂ間に天井レール部材１８を
架け渡す。この際、天井レール部材１８は、固定孔１８ａ，・・・を設けた側面が室内側
となるように配置する。
【００７９】
そして、固定孔１８ａ，１８ａに挿入した固定ネジ２１，２１によって、コーナーパネ
ル部材１６Ａ，１６Ｂに天井レール部材１８を固定する。これにより、コーナーパネル部
材１６Ａ，１６Ｂの上端面１６ｂ，１６ｂによって位置決めされた天井レール部材１８の
位置が確定する。
【００８０】
ここで、前記天井レール部材１８の上端面と前記天井部３０の下面との間に隙間がある
場合は、図５に示すように、その隙間の大きさに合わせた厚みのスペーサ２２を挿入する
。
【００８１】
そして、固定ネジ２１を固定孔１８ｂに螺入して、天井レール部材１８を天井部３０の
縁部材３０ａに固定する。このため、後述する中間パネル部材１９を配置する際に、天井
レール部材１８が移動してずれることがない。
【００８２】
図１は、中間パネル部材１９を設置する作業工程を示した図である。この中間パネル部
材１９は、任意の位置で天井レール部材１８下方から差し込み、床レール部材１７の溝底
面に落とし込む。
【００８３】
そして、中間パネル部材１９を天井レール部材１８に沿ってスライド移動させて、既に
設置済みのコーナーパネル部材１６Ａの側端面１６ａにこの中間パネル部材１９の側端面
１９ａを当接させる。この中間パネル部材１９の配置作業は、所定の枚数分繰り返してお
こなう。
【００８４】
図４に、一対のコーナーパネル部材１６Ａ，１６Ｂの間にすべての中間パネル部材１９
，１９，１９を配置した斜視図を示す。ここで、中間パネル部材１９の規定の幅以下の隙
間には、調整パネル部材３５が配置されている。
【００８５】
この調整パネル部材３５は、中間パネル部材１９，１９，１９を設置後に、残った隙間
に合わせて中間パネル部材１９を切断して成形する。
【００８６】
そして、コーナーパネル部材１６Ａと中間パネル部材１９、中間パネル部材１９，１９
同士、中間パネル部材１９と調整パネル部材３５、及び調整パネル部材３５とコーナーパ
ネル部材１６Ｂを接合する。
【００８７】
次に、図６を用いて、コーナーパネル部材１６Ａに中間パネル部材１９を接合する工程
を説明する。
【００８８】
図６の上図に示したように、設置済みのコーナーパネル部材１６Ａの側端面１６ａに向
けて中間パネル部材１９を移動させる。すると、中間パネル部材１９の差込み部２７ａが
受け口部２７ｂに差し込まれて、パネル部材１６Ａ，１９の面内外方向への移動が拘束さ
れる。
【００８９】
この状態で中間パネル部材１９の配置を繰り返し、図４のようにすべての中間パネル部
材１９，１９，１９と調整パネル部材３５が、一対のコーナーパネル部材１６Ａ，１６Ｂ
間に配置された状態を形成する。
【００９０】
そして、図６の下図に示すように、中間パネル部材１９とコーナーパネル部材１６Ａの
側端部が重複している部分に固定ネジ２１を室内側から螺入すれば、中間パネル部材１９
とコーナーパネル部材１６Ａを接合することができる。
【００９１】
次に、床レール部材１７及び天井レール部材１８の固定孔１７ａ，１８ａへ固定ネジ２
１を螺入させて、中間パネル部材１９及び調整パネル部材３５を床レール部材１７及び天
井レール部材１８に固定する（図４参照）。
【００９２】
更に、図５に示すように、前記床面１４を構成する床材１４ａ，１４ｂ上に床仕上げ材
２６が敷設されている。ここで、床仕上げ材２６とは、フロアリングボード、カーペット
、コルクタイル、ビニル床シート、石材又はタイルなどの床表面を形成する部材をいう。
【００９３】
以上に示したように、本実施の形態によれば、一対のコーナーパネル部材１６Ａ，１６
Ｂで位置決めをした天井レール部材１８に、規定の高さの中間パネル部材１９，３５を嵌
め込めばよく、天井レール部材１８の位置が天井部３０の施工精度に左右されないため、
内装壁を精度良く短期間に構築することができる。
【００９４】
また、自立可能な一対のコーナーパネル部材１６Ａ，１６Ｂを使用することで、作業員
が最少人員として例えば一人でも内装壁を構築することができる。
【００９５】
また、位置決めした天井レール部材１８は、スペーサ２２で天井部３０下面との隙間を
埋めた後に天井部３０に固定されるので、天井部３０との間を位置精度的に縁切りでき、
天井部３０の面施工精度に影響を受けることがない。さらに、天井レール部材１８に取り
付ける中間パネル部材１９，３５を、前記スペーサ２２によって確実に天井部３０に固定
できる。
【００９６】
そして、固定ネジ２１による固定作業は、室内側からの作業のみでおこなうことができ
るので施工性に優れている。
【００９７】
更に、前記天井レール部材１８と前記床レール部材１７の高さが一定であるため、規定
の寸法の前記中間パネル部材１９が使用できる上に、前記中間パネル部材１９を前記天井
レール部材１８に沿ってスライドして配置できるので取り付けが簡単である。
【実施例１】
【００９８】
以下、前記した実施の形態の実施例１について説明する。なお、前記実施の形態で説明
した内容と同一乃至均等な部分の説明については同一符号を付して説明する。
【００９９】
前記実施の形態では、壁パネル部材として一対のコーナーパネル部材１６Ａ，１６Ｂを
使用して説明した。この実施例１では、コーナーパネル部材１６Ａ，１６Ｂの間隔が広く
、一度では天井レール部材１８を架け渡すことができない場合について説明する。
【０１００】
図７に実施例１を説明するための斜視図を示す。この実施例１では、内装壁は室内空間
を仕切る間仕切り壁として構築して用いるものである。
【０１０１】
まず、構成について説明すると、ここでは、一方の壁パネル部材として中継ぎパネル部
材２８を使用する。中継ぎパネル部材２８は、間仕切り壁となるように両側表面を合板や
石膏ボード等の板材で矩形に形成し、板材間には補強のための桟木が上下方向に延設され
ている。
【０１０２】
まず、壁パネル部材としてコーナーパネル部材１６Ａを入隅部に配置する。そして、コ
ーナーパネル部材１６Ａを立設した位置から天井レール部材１８を架け渡せる範囲内で中
継ぎパネル部材２８を設置する。
【０１０３】
さらに、天井レール部材１８を、前記コーナーパネル部材１６Ａと前記中継ぎパネル部
材２８の間に架け渡して、天井レール部材１８の両端をコーナーパネル部材１６Ａ及び中
継ぎパネル部材２８に固定する。
【０１０４】
また、中継ぎパネル部材２８と出隅部に設置したコーナーパネル部材１６Ｂとの間に天
井レール部材２９を架け渡して、天井レール部材２９の両端を中継ぎパネル部材２８及び
コーナーパネル部材１６Ｂに固定する。
【０１０５】
このように、中継ぎパネル部材２８を使用することによって、コーナーパネル部材１６
Ａ，１６Ｂ間の間隔が天井レール部材１８の長さより広い場合でも、内装壁を容易に構築
することができる。
【０１０６】
また、長い天井レール部材１８を使用するとたわみが発生して正確な位置が出せない場
合にも、中継ぎパネル部材２８を使用することによって正確な位置に天井レール部材１８
を配置することができる。
【０１０７】
他の構成及び作用効果については、前記実施の形態と略同様であるので説明を省略する
。
【実施例２】
【０１０８】
以下、実施例２について説明する。なお、前記実施の形態及び実施例１で説明した内容
と同一乃至均等な部分の説明については同一符号を付して説明する。
【０１０９】
前記実施の形態及び実施例１では、天井レール部材１８と床レール部材１７の両方を断
面略Ｕ字型の溝を有する部材とした。実施例２では、床レール部材１７に代えて長尺状の
角材３１を使用する場合について説明する。
【０１１０】
実施例２を説明するために示した図８は、図４のＡ−Ａ線に相当する位置の断面図であ
る。
【０１１１】
この実施例２の内装壁は、躯体床１５ａ上に防音シート３３を敷設し、その上に床仕上
げ材３２を敷設して略平坦に表面を形成した床面１４上に構築する。
【０１１２】
この床面１４には角材３１を固定ネジ２１で固定する。
【０１１３】
また、この角材３１に下縁を固定する中間パネル部材１９は、背面に配置する桟木１９
ｂの下端を角材３１の高さ程度切り欠いて、内装壁面を形成する板材１９ｃの背面が角材
３１の側面に当接できるようにする。
【０１１４】
そして、中間パネル部材１９の下縁を固定ネジ２１によって角材３１に固定する。なお
、コーナーパネル部材１６Ａ，１６Ｂ及び調整パネル部材３５の下縁も同様に形成する。
【０１１５】
他の構成及び作用効果については、前記実施の形態及び実施例１と略同様であるので説
明を省略する。
【実施例３】
【０１１６】
以下、実施例３について説明する。なお、前記実施の形態で説明した内容と同一乃至均
等な部分の説明については同一符号を付して説明する。
【０１１７】
前記実施の形態では、中間パネル部材１９とコーナーパネル部材１６Ａの側端面１９ａ
，１６ａ付近に板材を固定して継手手段２７を形成した。
【０１１８】
この実施例３では、中間パネル部材１９及びコーナーパネル部材１６Ａの側端面１９ａ
，１６ａを切り欠き加工して継手手段３４を形成する。
【０１１９】
図９に実施例３の継手手段３４の平面図を示す。
【０１２０】
この継手手段３４は、中間パネル部材１９の側端面１９ａの略中央に上下方向に溝を延
設し、一方の溝壁を半分程度切削して一対の溝壁からなる差込み部３４ａを形成する。
【０１２１】
また、コーナーパネル部材１６Ａの側端面１６ａには、前記差込み部３４ａの一対の溝
壁が挿入できる深さの切り込みを設ける。
【０１２２】
そして、図９の上図に示したように、設置済みのコーナーパネル部材１６Ａの側端面１
６ａに向けて中間パネル部材１９を移動させる。すると、中間パネル部材１９の差込み部
３４ａが受け口部３４ｂに差し込まれて、パネル部材１６Ａ，１９の面内外方向への移動
が拘束される。
【０１２３】
この状態で、固定ネジ２１を室内側から螺入すれば、図９の下図に示すように、中間パ
ネル部材１９とコーナーパネル部材１６Ａを接合することができる。
【０１２４】
以上、図面を参照して、本発明の最良の実施の形態を詳述してきたが、具体的な構成は
、この実施の形態に限らず、本発明の要旨を逸脱しない程度の設計的変更は、本発明に含
まれる。
【０１２５】
例えば、略平坦に表面を形成した床面は、コンクリートを水平に均して形成したもので
あってもよい。
【０１２６】
また、コーナーパネル部材１６Ａ，１６Ｂの向きの組み合わせは、入隅部と出隅部の組
み合わせでなくとも、入隅部と入隅部、出隅部と出隅部の組み合わせであってもよい。
【０１２７】
さらに、天井レール部材１８と中間パネル部材１９との固定手段は、固定ネジ２１でな
くともピンや接着剤などであってもよい。また、中間パネル部材１９を天井レール部材１
８に嵌め込むだけで固定できる場合は、別段、固定手段を使用しなくともよい。
【０１２８】
また、コーナーパネル部材１６は、内角が直角の平面視Ｌ字型に限られるものではなく
、内角が鋭角や鈍角であってもよい。さらに、平面視Ｔ字型、十字型などであっても自立
できる形状であればよい。
【０１２９】
さらに、壁パネル部材は、天井レール部材１８の両端に配置されていなくともよい。例
えば、壁パネル部材の幅方向に天井レール部材１８が突出して片持ち状態で支持されてい
てもよい。
【０１３０】
また、天井部３０は、天井レール部材１８をコーナーパネル部材１６Ａ，１６Ｂに架け
渡した後に構築することもできる。
【０１３１】
そして、実施例１においては、前記天井レール部材１８，２９の一端を前記中継ぎパネ
ル部材２８に固定したが、天井レール部材１８，２９の他端のみそれぞれコーナーパネル
部材１６Ａ，１６Ｂに固定し、天井レール部材１８，２９間を接合して一体化すれば、天
井レール部材１８，２９が中継ぎパネル部材２８に固定されていなくともよい。
【０１３２】
このようにすれば、中間パネル部材１９を配置する際に中継ぎパネル部材２８を移動さ
せて位置調整をすることができる。
【図面の簡単な説明】
【０１３３】
【図１】本発明の最良の実施の形態の内装壁の施工方法の中間パネル部材を設置する作業工程を示した斜視図である。
【図２】本発明の最良の実施の形態の内装壁の施工方法の天井レール部材を設置する作業工程を示した斜視図である。
【図３】本発明の最良の実施の形態の内装壁の施工方法の天井レール部材を固定する作業工程を示した斜視図である。
【図４】本発明の最良の実施の形態の内装壁構造を示した斜視図である。
【図５】図４のＡ−Ａ線に沿った位置に相当する部分で床仕上げ材及び天井部等を加えた断面図である。
【図６】中間パネル部材とコーナーパネル部材との接合手順を説明する平面図である。
【図７】中継ぎパネル部材を使用する実施例１を説明する斜視図である。
【図８】実施例２の内装壁構造を示した断面図である。
【図９】実施例３の継手手段を説明する平面図である。
【図１０】従来例の既存壁前面に構築する内装壁構造の断面図である。
【符号の説明】
【０１３４】
１４            床面
１６            コーナーパネル部材（壁パネル部材）
１６ｂ        上端面
１８、２９      天井レール部材
１９            中間パネル部材
２１            固定ネジ
２２            スペーサ
２７、３４      継手手段
２８            中継ぎパネル部材（壁パネル部材）
３０            天井部
３５            調整パネル部材（中間パネル部材）
３６            接合部
【図１】
2006016898.tif 000003
【図２】
2006016898.tif 000004
【図３】
2006016898.tif 000005
【図４】
2006016898.tif 000006
【図５】
2006016898.tif 000007
【図６】
2006016898.tif 000008
【図７】
2006016898.tif 000009
【図８】
2006016898.tif 000010
【図９】
2006016898.tif 000011
【図１０】
2006016898.tif 000012